(57)【特許請求の範囲】
【請求項１】
三つの装置（１、２、３）を用い、
前記第１の装置（１）は、前記第２の装置（２）を遠隔操作する遠隔操作装置を構成し、前記第３の装置（３）が前記第２の装置（２）とデータ通信（２１）を開始するために必要な前記第２の装置（２）の端末アドレス（Ｍａ）を事前に記憶する初期設定過程と、前記第３の装置（３）との近距離通信（３０）の発生に応じて、前記端末アドレス（Ｍａ）を前記第３の装置（３）に送信する過程を含み、
前記第３の装置（３）は、前記端末アドレス（Ｍａ）を受信し、それを用いて前記データ通信（２１）を開始することを特徴とする二者間通信開始方法。
【請求項２】
請求項１に記載の二者間通信開始方法を実現させるために用いたことを特徴とするいずれかの装置（１、２、３）。
【請求項３】
コンピュータを、請求項２に記載のいずれかの装置（１、２、３）として機能させるための制御プログラム。
【発明の詳細な説明】
【技術分野】
【０００１】
本発明は、遠隔操作装置による遠隔操作対象の装置を含む二者間の通信を開始させる二者間通信開始方法に関する。
【背景技術】
【０００２】
従来、二者間通信開始方法が知られる。例えば、特開２０１３−２１８６９０号公報に記載の技術は、電子機器を制御するように構成された遠隔制御機との近距離通信が発生するとき、電子機器と携帯端末が通信を開始するために電子機器によって必要とされるデータを生成して遠隔制御機に伝送する携帯端末と、携帯端末からデータを受信し、受信されたデータを、電子機器に伝送する遠隔制御機の技術が開示されている。
【先行技術文献】
【特許文献】
【０００３】
【特許文献１】特開２０１３−２１８６９０号公報
【発明の概要】
【発明が解決しようとする課題】
【０００４】
ところで、上記の二者間通信開始方法は、遠隔操作機が赤外線遠隔操作装置の場合に、電子機器によって必要とされる携帯端末から受信したデータを含む赤外線信号を電子機器に向けて送信できるように、遠隔操作機が電子機器と対向している必要があると言った問題があった。
【０００５】
そこで、本発明の目的は、遠隔操作装置による遠隔操作対象の装置を含む二者間の通信を開始させるとともに、該装置と対向しない状態の赤外線遠隔操作装置を利用可能な二者間通信開始方法を提供することにある。
【課題を解決するための手段】
【０００６】
上記課題を解決するため本発明の二者間通信開始方法において、三つの装置（１、２、３）を用い、前記第１の装置（１）は、前記第２の装置（２）を遠隔操作する遠隔操作装置を構成し、前記第３の装置（３）が前記第２の装置（２）とデータ通信（２１）を開始するために必要な前記第２の装置（２）の端末アドレス（Ｍａ）を事前に記憶する初期設定過程と、前記第３の装置（３）との近距離通信（３０）の発生に応じて、前記端末アドレス（Ｍａ）を前記第３の装置（３）に送信する過程を含み、前記第３の装置（３）は、前記端末アドレス（Ｍａ）を受信し、それを用いて前記データ通信（２１）を開始することを特徴とする。
【発明の効果】
【０００７】
本発明によれば、二者間通信開始方法は、遠隔操作装置による遠隔操作対象の装置を含む二者間の通信を開始させるとともに、該装置と対向しない状態の赤外線遠隔操作装置を利用可能とすることができる。
【図面の簡単な説明】
【０００８】
【図１】実施形態の遠隔操作装置システムの構成図の一例である。
【発明を実施するための形態】
【０００９】
以下、本発明の一実施の形態について詳細に説明する。
【００１０】
図１は実施形態の遠隔操作装置システムの構成図の一例である。例えば、遠隔操作装置システムは、（ａ）インターネット１０、遠隔操作装置１、電子機器２、携帯端末３および決済サーバ４から構成され、インターネット１０により構成される通信ネットワークに電子機器２および決済サーバ４が接続され、遠隔操作装置１が赤外線遠隔操作装置を構成し、送信する一方向の赤外線信号２０により電子機器２が遠隔操作され、携帯端末３がクレジットカード情報、電子マネー情報などの決済用記録媒体を構成する。
【００１１】
また、（ｂ）処理として、携帯端末３のＮＦＣペアリング部が遠隔操作装置１のＮＦＣペアリング部にかざされたことに応じて、近距離通信を行うＮＦＣペアリング３０が行われ、遠隔操作装置１がＮＦＣペアリング３０を介して電子機器２のＭＡＣアドレスＭａを携帯端末３に送信し（ステップＳ０１）、携帯端末３がＭＡＣアドレスＭａに該当する電子機器２とBluetooth（登録商標）などの無線通信２１を開始し（ステップＳ０２）、無線通信２１、電子機器２およびインターネット１０を介して、携帯端末３と決済サーバ４間で決済データの送受信が行われて決済処理が実施される。
【００１２】
遠隔操作装置１、電子機器２、携帯端末３、決済サーバ４などの装置は、ＣＰＵ、ＲＯＭ、ＲＡＭを有するコンピュータ部を備える。さらに、遠隔操作装置１は、赤外線信号送信部、ＮＦＣペアリング部、操作ボタン部などを備え、電子機器２は、赤外線信号受信部、無線通信部、ネットワーク通信部などを備え、携帯端末３は、記憶装置、無線通信部、ＮＦＣペアリング部などを備え、決済サーバ４は、記憶装置、ネットワーク通信部などを備える。遠隔操作装置１は、双方向無線により電子機器２の遠隔操作などを行う構成としてもよい。遠隔操作装置１と電子機器２は、例として、リモコン装置とテレビジョン、マウスとコンピュータなどが挙げられる。
【００１３】
上記の実施形態において、遠隔操作装置１と電子機器２の双方は、ＵＳＢ端子などを備え、双方が接続されることにより、電子機器２が遠隔操作装置１にＭＡＣアドレスＭａを記憶させる初期設定手段を備える。遠隔操作装置１は、利用者のボタン操作により、または、電子機器２の製造時にＭＡＣアドレスＭａを記憶させる初期設定手段を備える構成としてもよい。また、電源ボタンなどが押下された場合に、双方向無線などにより電子機器２からＭＡＣアドレスＭａを受信して記憶する初期設定手段を備える構成としてもよい。
【００１４】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置と同等の作用および効果が得られる。
【００１５】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１６】
また、インターネット、ＬＡＮ等のネットワークシステムを介して制御プログラムをダウンロードし、インストールして実行するように構成することも可能である。
【符号の説明】
【００１７】
１…遠隔操作装置，２…電子機器，３…携帯端末，４…決済サーバ，１０…インターネット，２０…赤外線信号，２１…無線通信，３０…ＮＦＣペアリング，Ｍａ…ＭＡＣアドレス
【要約】
【課題】本発明の目的は、遠隔操作装置による遠隔操作対象の装置を含む二者間の通信を開始させるとともに、該装置と対向しない状態の赤外線遠隔操作装置を利用可能な二者間通信開始方法を提供することにある。
【解決手段】遠隔操作装置１は、電子機器２を遠隔操作する遠隔操作装置を構成し、携帯端末３が電子機器２と無線通信２１を開始するために必要な電子機器２のＭＡＣアドレスＭａを事前に記憶する初期設定過程と、携帯端末３とのＮＦＣペアリング３０の発生に応じて、ＭＡＣアドレスＭａを携帯端末３に送信する過程を含み、携帯端末３は、ＭＡＣアドレスＭａを受信し、それを用いて無線通信２１を開始することを特徴とする。
【選択図】図１【図１】
0005571860.tif 000002